(57)【要約】【課題】スロープ部材の上端部に回動可能に設けた脚部の起立状態と収納状態の切り換えが容易で、且つ切り換え安定性に優れたスロープ装置の提供を目的とする。【解決手段】スロープ部材と、前記スロープ部材の上端部に折り畳み可能な脚部とを備え、前記スロープ部材の使用時は前記脚部を、前記スロープ部材の裏面側に当該脚部の上端に設けた支持部で支えるように起立状態にし、前記スロープ部材の収納時は、前記脚部を前記スロープ部材の上端部から後方に延在する収納状態に回動可能で有り、前記脚部の起立状態と収納状態とをそれぞれロックする保持ロッドを有することを特徴とする。【選択図】  図１
2018186845.tif 000002
【特許請求の範囲】
【請求項１】
スロープ部材と、前記スロープ部材の上端部に折り畳み可能な脚部とを備え、
前記スロープ部材の使用時は前記脚部を、前記スロープ部材の裏面側に当該脚部の上端に設けた支持部で支えるように起立状態にし、
前記スロープ部材の収納時は、前記脚部を前記スロープ部材の上端部から後方に延在する収納状態に回動可能で有り、
前記脚部の起立状態と収納状態とをそれぞれロックする保持ロッドを有することを特徴とするスロープ装置。
【請求項２】
前記保持ロッドは一方の基端部を前記スロープ部材の裏面に軸着してあり、他方のロックピン部を前記脚部に設けた起立ロック孔と収納ロック孔とに、差し込み切り換え可能になっていることを特徴とする請求項１記載のスロープ装置。
【請求項３】
前記脚部は側面部に沿って立設した一対のフランジ部を有し、
前記一対のフランジ部の間に沿って前記脚部に前記起立ロック孔と前記収納ロック孔を有していることを特徴とする請求項２記載のスロープ装置。
【発明の詳細な説明】
【技術分野】
【０００１】
本発明は、スロープ面を形成するためのスロープ部材の上端部側に回動可能に脚部を設けたスロープ装置に関する。
【背景技術】
【０００２】
使用時にスロープ部材を傾斜状態にするために、スロープ部材の裏面側から脚部を起立させるものとしては、特許文献１に開示されている。
しかし、同公報に開示する脚部構造は大型であり、スロープ部材を使用しないときの収納が大変である。
【先行技術文献】
【特許文献】
【０００３】
【特許文献１】特開２００６−１２３６６１号公報
【発明の概要】
【発明が解決しようとする課題】
【０００４】
本発明は、スロープ部材の上端部に回動可能に設けた脚部の起立状態と収納状態の切り換えが容易で、且つ切り換え安定性に優れたスロープ装置の提供を目的とする。
【課題を解決するための手段】
【０００５】
本発明に係るスロープ装置は、スロープ部材と、前記スロープ部材の上端部に折り畳み可能な脚部とを備え、前記スロープ部材の使用時は前記脚部を、前記スロープ部材の裏面側に当該脚部の上端に設けた支持部で支えるように起立状態にし、前記スロープ部材の収納時は、前記脚部を前記スロープ部材の上端部から後方に延在する収納状態に回動可能で有り、前記脚部の起立状態と収納状態とをそれぞれロックする保持ロッドを有することを特徴とする。
本発明においてスロープ部材の上端部とは、傾斜させた使用時の上部側をいい、スロープ部材の下端側を前方，上端側を後方と表現する。
【０００６】
本発明において、保持ロッドは一方の基端部を前記スロープ部材の裏面に軸着してあり、他方のロックピン部を前記脚部に設けた起立ロック孔と収納ロック孔とに、差し込み切り換え可能になっているのが好ましい。
また、脚部は側面部に沿って立設した一対のフランジ部を有し、前記一対のフランジ部の間に沿って前記脚部に前記起立ロック孔と前記収納ロック孔を有しているようにすると、一対のフランジ部が脚部の強度向上に寄与するのみならず、一対のフランジ部が保持ロッドを切り換える際の移動をガイドするガイド機能を有することになる。
【発明の効果】
【０００７】
本発明に係るスロープ装置は、脚部の起立状態と収納状態を切り換えることが可能であり、保持ロッドが脚部の起立状態を筋交い状に保持するので、その安定性に優れる。
【図面の簡単な説明】
【０００８】
【図１】本発明に係るスロープ装置において（ａ）は脚部の起立状態（使用状態）を示し、（ｂ）は脚部の収納状態を示す。
【図２】（ａ）はスロープ装置の外観斜視図を示し、（ｂ）はスロープ部材の上端側に他のスロープ部材をつないで使用する例を示す。
【図３】（ａ）は脚部のロック孔が円孔の場合を示し、（ｂ）はロック孔が横方向の長孔である例を示す。
【図４】複数のスロープ装置を積み重ねるように収納する例を示す。
【発明を実施するための形態】
【０００９】
本発明に係るスロープ装置の構造例を以下図に基づいて説明する。
図２（ａ）に外観斜視図、図３に脚部の起立状態を示す。
図１は、（ａ）に脚部の起立状態，（ｂ）に収納状態をそれぞれ示す。
【００１０】
スロープ装置は、スロープ面を形成するためのスロープ部材１０と、その上端部に回動可能に脚部２０を有する。
この脚部２０を起立状態と収納状態とをそれぞれ保持するための保持ロッド３０を有する。
【００１１】
スロープ部材１０は、上端部の表面に連結ブラケット１１を立設し、この連結ブラケット１１の両側の立設片１１ａに脚部２０の上端部の両側の連結片２６と軸着部２０にて回動可能に連結してある。
また、脚部２０の上部には図１（ａ）に示すように、脚部２０の起立状態にてスロープ部材１０の上端部１３の裏面側に当接支持する支持部２１を有する。
【００１２】
脚部２０は、図２，３に示すように門構え形状になっていて、下端側をベース部材２２にて連結してある。
両側の脚には、脚に沿って側面に両側の一対のフランジ部２３を設けることで、剛性向上を図ってある。
一対のフランジ部２３の間にあって、脚部２０の上部側の収納ロック孔２４と下部側の起立ロック孔２５を有する。
スロープ部材１０の裏面には、ヒンジ部１４にて図３に示すように略コ字形状の保持ロッド３０の基端部３１を回動自在に連結してあり、他方の両側の開放端側を外側に向けて対向するように折り曲げて、ロックピン部３２を形成してある。
このロックピン部３２を図１（ａ）に示すように、脚部の起立状態では起立ロック孔２５に差し込み、収納状態では図１（ｂ）に示すように収納ロック孔２４に差し込むことになる。
この場合に両側のロックピン部３２は、コ字形状の保持ロッド３０の弾性力にて拡挟する。
ロックピン部３２の差し換え時には、両側のフランジ部２３がガイド片としても機能する。
そこで、図３（ｂ）に示すように収納ロック孔２４と、起立ロック孔２５を両側のフランジ部２３の間に跨がる長孔２４ａ，２５ａにしてもよい。
【００１３】
本発明は、スロープ装置の収納時に脚部２０がスロープ部材１０の上端側後方に延在するように折り畳み可能にしたことにより、例えば図４に示すように複数のスロープ装置のスロープ部材１０，１０Ａと、脚部２０，２０Ａとを積み重ねるように収納できる。
また、複数のスロープ部材１０を横方向に並列に展開できるように、折り畳み可能に連結した場合にも脚部２０を略水平方向に折り畳むことができるので、複数のスロープ部材を折り重なるように畳むこともできる。
さらには、図２（ｂ）に点線で示したように他の板状のスロープ部材１００の下端を本発明に係るスロープ装置の上端部に繋ぐように架け渡すこともできる。
【符号の説明】
【００１４】
１０      スロープ部材
１１      連結ブラケット
１２      軸着部
１３      上端部
１４      ヒンジ部
２０      脚部
２１      支持部
２３      フランジ部
２４      収納ロック孔
２５      起立ロック孔
３０      保持ロッド
３１      基端部
３２      ロックピン部
【図１】
2018186845.tif 000003
【図２】
2018186845.tif 000004
【図３】
2018186845.tif 000005
【図４】
2018186845.tif 000006